(57)【要約】【課題】水洗浄器は、電気、上水道設備が駆動条件を満たさないと設置できない。【解決手段】人力を動力とする、渦巻型の洗浄チューブを持つ水洗浄器を提供する。【選択図】図１
2019055168.tif 000002
【特許請求の範囲】
【請求項１】
放水ノズルが回転伸縮運動する渦巻型チューブ形状であり、渦巻型チューブは巻いた形状が外力が働かない限り形状を維持する安定状態であり、内圧の上昇により伸びた形状に変形するように成形され、放水口が開口されていることを特徴とする水洗浄器。
【請求項２】
逆止弁が外力が働かない限り吐出口の閉弁を維持し、内圧の上昇により吐出口を開弁するように折り目が成形され、弁体と弁座が一体成形されることを特徴とする水洗浄器。
【請求項３】
逆止弁の吐出口が開弁すると逆止弁と渦巻型チューブが流路を形成し排水口への流路を遮断し、逆止弁の吐出口が閉弁すると逆止弁の吐出口への流路を遮断し排水口と渦巻型チューブが流路を形成することを特徴とする水洗浄器。
【請求項４】
渦巻型チューブが巻いた形状かつ逆止弁の吐出口が閉弁しているステップと、
逆止弁への流動体の注水により逆止弁の内圧が吐出口の閉弁を維持しない圧力になった際に吐出口が開弁し渦巻型チューブに流動体が流れ込みチューブが伸びた形状に変形し放水口から流動体を放水するステップと、
逆止弁の内圧が吐出口の開弁を維持しない圧力になった際に吐出口が閉弁し渦巻型チューブの内圧がチューブが伸びた形状を維持しない圧力になった際にチューブが巻いた形状に変形しながらチューブ内に残る流動体を排水口から排水する
ことを特徴とする水洗浄器。
【請求項５】
放水器が水洗浄器とシーソー運動するように接続され、つりあいの条件から重力方向に対して同一角度を維持し、また重心移動できる構造により重力方向に対する傾斜角度を変更できることを特徴とする水洗浄器。
【請求項６】
渦巻型チューブの回転伸縮方向に左右対称かつ格子状にバネを配置することを特徴とする水洗浄器。
【請求項７】
排水口が丁番により可動し、口の面積が可変であることを特徴とする水洗浄器。
【請求項８】
水洗浄器および、便座または便器に凹凸を成形し、この凹凸が合致することで水洗浄器を便座または便器の定位置に設置することを特徴とする水洗浄器および、便座または便器。
【発明の詳細な説明】
【技術分野】
【０００１】本発明は、水洗浄器に関するものである。
【背景技術】
【０００２】便座一体型水洗浄器は、電気で駆動するスプレー洗浄ノズルによる臀部側からの放水が主流である。【０００３】携帯型水洗浄器は、洗浄瓶や電気で駆動するものがある。
【先行技術文献】
【非特許文献】
【０００４】
【非特許文献１】Ｍｒ．Ａｒｎｏｌｄ  Ｃｏｈｅｎは、１９６４年に便座ビデのデザイン特許を取得している。
【発明の概要】
【発明が解決しようとする課題】
【０００５】水洗浄器は、電気または上水道設備が停止した環境では使用できない。【０００６】電気で駆動する携帯型水洗浄器は、重量が重く、使用時に機械音がする。
【課題を解決するための手段】
【０００７】水洗浄器のスプレー洗浄ノズルを渦巻型のチューブに置き換え、放水は人力でポンプから行う水洗浄器を提供する。
【発明の効果】
【０００８】電気、上水道設備に依存しない、構造が単純かつ臀部側から放水する水洗浄器を提供する。
【図面の簡単な説明】
【０００９】
【図１】携帯型水洗浄器９９の内部構成を示す透視斜視図。
【図２】逆止弁の透視斜視図。
【図３】放水器１の断面図。
【図４】携帯型水洗浄器９９の放水角度６６を説明する透視図。
【図５】渦巻型チューブ部の構造の斜視図。
【図６】洗浄機能付放水器５１の断面図。
【図７】便座一体型水洗浄器９５の透視斜視図。
【発明を実施するための形態】
【００１０】異なる図面中の同じ参照番号は、同一または類似の要素を識別し得る。
【００１１】図面中の参照番号がないものは、異なる図面中の同一または類似の要素を識別し得る。
【００１２】以下の詳細な説明はこの発明を制限しない。
【００１３】図１は、本発明における携帯型水洗浄器９９の内部構成を示す透視斜視図である。
【００１４】図１（ａ）は、本発明における携帯型水洗浄器９９の放水時を示す透視斜視図である。
【００１５】図１（ｂ）は、本発明における放水器１の外力が働かない限り形状を維持する安定状態を示す斜視図である。
【００１６】携帯型水洗浄器９９は肛門などを洗浄する器機であり、外装土台部２の上に外装フード部３が覆いかぶさる外観であり、使用時には便座または便器と、肛門より背骨寄りの臀裂の間に設置する。
【００１７】放水器１は、洗浄機能を持つ部品である。
【００１８】渦巻型チューブ部（安定時）４−２と渦巻型チューブ部（放水時）４−１は、同じ部品であり、外力が働かない限り形状を維持する安定状態と放水状態で形状が異なる。
【００１９】渦巻型チューブ部（安定時）４−２は、流動体１２の流入により、チューブが回転運動により伸びた形状である渦巻型チューブ部（放水時）４−１に変形する。
【００２０】渦巻型チューブ部（放水時）４−１は、流動体１２の流入がない状況では、自動的にチューブが回転運動により巻いた形状である渦巻型チューブ部（安定時）４−２に変形する。
【００２１】携帯型水洗浄器９９は、ポンプ９が送る流動体１２を送水管５から放水器１に送り、放水器１に接続する渦巻型チューブ部（放水時）４−１の放水口１１から放水する。
【００２２】放水器１は、回転軸棒２１があり、外装土台部２に接続する支持支柱２３により、外装土台部２から浮いた位置に配置する。
【００２３】（図示なし）支持支柱２３は、伸縮できる。
【００２４】支持支柱２３は、外装土台部２の支柱移動部品２４上を移動できる。
【００２５】放水角度設定用重り２７は、重り移動部品２９上を移動できる。
【００２６】（図示なし）放水器１は、外装フード部３から、ぶら下る構造でもよい。
【００２７】（図示なし）ポンプ９は、携帯型水洗浄器９９に内蔵する構造でもよい。
【００２８】排水口１５は、流動体１２を放水器１から排水する部品である。
【００２９】（図示なし）放水口１１は、換装することで放水パターンを変更できることが望ましい。
【００３０】図２は、本発明における逆止弁の透視斜視図である。
【００３１】図２（ａ）は、本発明における逆止弁（放水時）１８−１の形状を示す透視斜視図である。
【００３２】図２（ｂ）は、本発明における逆止弁（安定時）１８−２の形状を示す透視斜視図である。
【００３３】逆止弁（安定時）１８−２と逆止弁（放水時）１８−１は、同じ部品であり、外力が働かない限り形状を維持する安定状態と放水状態で形状が異なる。
【００３４】送水管接続部１７は、送水管５と逆止弁（放水時）１８−１を接続する部品である。
【００３５】開口部１９は、弁体と弁座を兼ねた部品である。
【００３６】逆止弁（安定時）１８−２は、送水管接続部１７からの流動体１２の流入により、開口部１９が開弁し逆止弁（放水時）１８−１に変形する。
【００３７】逆止弁（放水時）１８−１は、送水管接続部１７からの流動体１２の流入がない状況では、自動的に開口部１９が閉弁し逆止弁（安定時）１８−２に変形する。
【００３８】逆止弁は、開口部１９が開閉するように予め折り目が付いた袋型の形状であり、開口部１９の閉弁により、送水管接続部１７方向への流動体１２の流入を防止する。
【００３９】図３は、本発明における放水器１の断面図である。
【００４０】図３（ａ）は、本発明における放水器１の放水構造を示す断面図である。
【００４１】逆止弁（放水時）１８−１は送水管５から流入する流動体１２の圧力により開口部１９が放水器１と密着することで水路を形成し、流動体１２を渦巻型チューブ部（放水時）４−１に順流する。
【００４２】図３（ｂ）は、本発明における放水器１の排水構造を示す断面図である。
【００４３】逆止弁（安定時）１８−２は渦巻型チューブ部（放水時）４−１が渦巻型チューブ部（安定時）４−２に変形する際に流動体１２の送水管５への逆流を防止し、放水器１および逆流防止壁５２から形成する排水口１５から流動体１２を排水する。
【００４４】図４は、本発明における携帯型水洗浄器９９の放水角度６６を説明する透視図である。
【００４５】図４（ａ）は、本発明における携帯型水洗浄器９９の放水角度６６の一定性を説明する透視図である。
【００４６】設置場所３３は、便座または便器である。
【００４７】放水器１は、回転軸棒２１と支持支柱２３を固定しないため、設置場所３３が平坦でない状況でも、シーソーにおけるつりあいの条件により、渦巻型チューブ部（放水時）４−１が重力方向６７に対して同じ放水角度６６を維持する。
【００４８】携帯型水洗浄器９９は、携帯型水洗浄器９９の携帯型水洗浄器凹部６１と設置場所３３の設置場所凸部６３が合致することで、便座開口部側のフチ６５から、はみ出ない位置に設置できる。
【００４９】図４（ｂ）は、本発明における携帯型水洗浄器９９の放水角度６６の変更方法を説明する透視図である。
【００５０】説明のため、外装フード部３の一部形状を省略する。
【００５１】放水器１は、放水角度設定用重り２７の位置を、重り移動部品２９上で移動し、放水角度６６を変更できる。
【００５２】図５は、本発明における渦巻型チューブ部の構造の斜視図である。
【００５３】渦巻型チューブ部（放水時）４−１は、線状バネ３７をチューブの中心線３５から左右対称かつ格子３９状に配置し、渦巻型チューブの回転伸縮運動が安定して動作する構造である。
【００５４】図６は、本発明における洗浄機能付放水器５１の断面図である。
【００５５】洗浄機能付放水器５１は、放水器１に渦巻型チューブ部（放水時）４−１の自動洗浄機能を付加したものである。
【００５６】渦巻型チューブ部（放水時）４−１は、放水口１１側の復元力が放水器１側より強く働く構造である。
【００５７】放水方向設定翼５５と洗浄機能付放水器５１は、丁番５６により可動域を持ち接続する構造であり、板状バネ５７により外力が働かない限り特定の接続角度を安定状態として維持し、放水方向設定翼５５が排水を妨げないよう洗浄機能付放水器５１と密着しない角度を安定状態とし、板状バネ５７の反発力と流動体１２の水圧により放水方向設定翼５５が可動する構造である。
【００５８】（図示なし）歪曲する板状バネ５７が、放水方向設定翼５５と洗浄機能付放水器５１を直接接続する構造でもよい。
【００５９】上下にある板状バネ５７は、流動体１２の分岐流量を制御するため、異なる反発力でもよい。
【００６０】図７は、便座一体型水洗浄器９５の透視斜視図である。
【００６１】便座一体型水洗浄器９５は、携帯型水洗浄器９９本体または構造を内蔵する便座である。
【００６２】（図示なし）ポンプ９は、流動体１２をトイレのタンクまたは上水道から吸い上げてもよい。
【００６３】（図示なし）便器が、携帯型水洗浄器９９本体または構造を内蔵してもよい。
【産業上の利用可能性】
【００６４】本発明は、電気、上水道設備に依存しない水洗浄器を提供するため、災害時や途上国での水洗浄器の使用に好適である。
【符号の説明】
【００６５】１放水器
２外装土台部
３外装フード部
４−１渦巻型チューブ部（放水時）
４−２渦巻型チューブ部（安定時）
５送水管
９ポンプ
１１放水口
１２流動体
１５排水口
１７送水管接続部
１８−１逆止弁（放水時）
１８−２逆止弁（安定時）
１９開口部
２１回転軸棒
２３支持支柱
２４支柱移動部品
２７放水角度設定用重り
２９重り移動部品
３３設置場所
３５中心線
３７線状バネ
３９格子
５１洗浄機能付放水器
５２逆流防止壁
５５放水方向設定翼
５６丁番
５７板状バネ
６１携帯型水洗浄器凹部
６３設置場所凸部
６５フチ
６６放水角度
６７重力方向
９５便座一体型水洗浄器
９９携帯型水洗浄器
【図１】
2019055168.tif 000003
【図２】
2019055168.tif 000004
【図３】
2019055168.tif 000005
【図４】
2019055168.tif 000006
【図５】
2019055168.tif 000007
【図６】
2019055168.tif 000008
【図７】
2019055168.tif 000009